(57)【要約】【課題】室内と通気空間とを内壁貫通孔を介して通気させると共に、通気空間から内壁貫通孔の内部まで異物が進入するおそれが低減された換気構造に使用される換気具を提供する。【解決手段】外壁と内壁との間に屋外と連通した通気空間が形成され、室内と通気空間とを連通させる内壁貫通孔が内壁に設けられている換気構造に使用される換気具１を、内壁貫通孔に挿入される筒部１１、及び、筒部の一端の周縁から外側に向かって平板状に延出しており、内壁の通気空間側の表面に当接させるフランジ部１２を備える換気具本体１０と、フランジ部側で筒部の開口を網体２１で被覆している網部材２０とを具備する構成とする。【選択図】図２
2015021651.tif 000002
【特許請求の範囲】
【請求項１】
外壁と内壁との間に屋外と連通した通気空間が形成されており、
前記内壁に、室内と前記通気空間とを連通させる内壁貫通孔が設けられており、
前記内壁貫通孔の前記通気空間側の開口が、網体で覆われている
ことを特徴とする換気構造。
【請求項２】
外壁と内壁との間に屋外と連通した通気空間が形成され、室内と前記通気空間とを連通させる内壁貫通孔が前記内壁に設けられている換気構造に使用される換気具であり、
前記内壁貫通孔に挿入される筒部、及び、該筒部の一端の周縁から外側に向かって平板状に延出しており、前記内壁の前記通気空間側の表面に当接させるフランジ部を備える換気具本体と、
前記フランジ部側で前記筒部の開口を網体で被覆している網部材と
を具備することを特徴とする換気具。
【請求項３】
前記網部材は、前記換気具本体に形成された係止部と係合する被係止部を有し、前記換気具本体に対して着脱可能である
ことを特徴とする請求項２に記載の換気具。
【発明の詳細な説明】
【技術分野】
【０００１】
本発明は、建物の室内と屋外とを通気させる換気構造、及び、該換気構造に使用される換気具に関するものである。
【背景技術】
【０００２】
建物の室内と屋外とを通気させる換気構造として、壁を貫通するダクトを設け、雨水がダクトを介して室内側に浸入するのを防止するために、換気フードを屋外からダクトに接続した構造が周知である。これは、図９に示すように、屋外側壁材１０１と室内側壁材１０２との間に断熱材１０３を挟んだ壁を貫通する壁貫通孔１０５にダクト１０６を嵌挿し、換気フード１１１の筒部１１１ｂを屋外からダクト１０６に内嵌させると共に、室内の空気をダクト１０６に送り出す換気ファンなどの換気装置１１２を室内側からダクト１０６に接続させたものである。
【０００３】
ところで、建物の壁として、図１０に示すように、室内側壁材５２ａの外側に断熱材５２ｂを配し透湿防水シート５２ｃで被覆した内壁５２と、外壁５１との間に通気空間５３が形成されたものがある。これは、外壁通気工法と称される工法で構築された壁であり、土台側の通気口５４と軒側の通気口５５を介して、外気が通気空間５３を流通する。
【０００４】
このように外壁５１と内壁５２との間に通気空間５３が形成された壁構造の場合、図１１に示すように、内壁５２を貫通する内壁貫通孔６２、及び外壁５１を貫通する外壁貫通孔６１にダクト６５を嵌挿し、換気フード１１１の筒部１１１ｂを屋外からダクト６５に内嵌させると共に、換気ファンなどの換気装置１１２を室内側からダクト６５に接続させた換気構造とする場合がある（例えば、特許文献１参照）。これは、図９に示した換気構造を踏襲したものである。この場合、ダクト６５を設けた部分では、通気空間５３における空気の流通が妨げられるという問題がある。また、そもそも屋外と連通している通気空間５３があることから、外壁貫通孔６１や換気フード１１１は不要であると言うこともできる。
【０００５】
そこで、外壁５１と内壁５２との間に通気空間５３が形成された壁構造の場合は、図１２に示すように、外壁５１に貫通孔を設けることなく、ダクト６５を内壁貫通孔６２のみに嵌挿し、室内側から換気装置１１２をダクト６５に接続すると共に、ダクト６５の他端は通気空間５３に開放させる換気構造とすることが考えられる。しかしながら、この場合は、通気空間５３を介して、虫や葉などのゴミ（以下、「異物」と称する）がダクト６５内に入り込んでしまうおそれがある。通常の換気装置１１２にはフィルタが取り付けられているため、ダクト６５に進入した大きな異物が室内にまで至ることはないが、通常の換気装置１１２は、図９や図１１に示したような屋外側に換気フード１１１を備える換気構造に使用されることが想定されており、大きな異物の進入は換気フード１１１に設けられた網体で防止されることを前提としている。そのため、換気装置１１２のフィルタは、小さな虫やホコリなど小さな異物をフィルタリングするための目の細かなものであり、大きな異物によって早期に目詰まりしてしまうおそれがあった。
【発明の概要】
【発明が解決しようとする課題】
【０００６】
そこで、本発明は、上記の実情に鑑み、外壁と内壁との間に屋外と連通した通気空間が形成された壁構造の場合に、室内と通気空間とを内壁貫通孔を介して通気させると共に、通気空間から内壁貫通孔の内部まで異物が進入するおそれが低減された換気構造、及び、該換気構造に使用される換気具の提供を、課題とするものである。
【課題を解決するための手段】
【０００７】
上記の課題を解決するため、本発明にかかる換気構造は、「外壁と内壁との間に屋外と連通した通気空間が形成されており、前記内壁に、室内と前記通気空間とを連通させる内壁貫通孔が設けられており、前記内壁貫通孔の前記通気空間側の開口が、網体で覆われている」ものである。
【０００８】
上記構成の換気構造では、外壁と内壁との間に形成された通気空間と室内とが、内壁貫通孔を介して連通する。通気空間は屋外と連通しているため、屋外から通気空間に流入した外気は、通気空間を流通し、屋外に排出される。これにより、室内と屋外とを、通気空間を介して通気させることができる。そして、内壁貫通孔の通気空間側の開口は網体で覆われているため、屋外から通気空間に異物が入り込んでも、その異物が内壁貫通孔まで入り込むおそれが低減される。なお、網体の材質は特に限定されず、例えば、樹脂製、ステンレス等の金属製とすることができる。
【０００９】
次に、本発明にかかる換気具は、「外壁と内壁との間に屋外と連通した通気空間が形成され、室内と前記通気空間とを連通させる内壁貫通孔が前記内壁に設けられている換気構造に使用される換気具であり、前記内壁貫通孔に挿入される筒部、及び、該筒部の一端の周縁から外側に向かって平板状に延出しており、前記内壁の前記通気空間側の表面に当接させるフランジ部を備える換気具本体と、前記フランジ部側で前記筒部の開口を網体で被覆している網部材とを具備する」ものである。
【００１０】
本構成の換気具は、上述の換気構造に使用されるものである。換気具本体は内壁貫通孔に挿入される筒部を有するため、筒部を内壁貫通孔に挿入した状態で、内壁に支持される。なお、筒部は、ダクトが嵌挿された内壁貫通孔に挿入されるものであっても良い。この場合の筒部は、ダクトに内嵌させるものであっても、内壁通気孔との間でダクトに外嵌させるものであっても良い。
【００１１】
また、換気具本体は、筒部の一端の周縁から外側に向かって平板状に延出したフランジ部を有しており、筒部を通気空間側から内壁貫通孔に挿入することにより、このフランジ部が内壁の通気空間側の表面に当接した状態となる。従って、このフランジ部を内壁の外表面に固定することにより、換気具本体が内壁に支持される。
【００１２】
そして、本構成の換気具は、フランジ部側で筒部の開口を網体で被覆する網部材を備えているため、上述のように換気具本体を内壁に固定すると、内壁貫通孔の通気空間側の開口が網体によって覆われる。これにより、屋外から通気空間に異物が入り込んでも、その異物が内壁貫通孔まで入り込むおそれを低減することができる。
【００１３】
本発明にかかる換気具は、上記構成に加え、「前記網部材は、前記換気具本体に形成された係止部と係合する被係止部を有し、前記換気具本体に対して着脱可能である」ものとすることができる。
【００１４】
「係止部」及び「被係止部」の構成としては、一方が突出部で他方が突出部が嵌入する溝部である構成、一方が雄ネジで他方が雌ネジである構成、一方が突出部で他方が弾性変形により突出部に引掛かる爪状部である構成、を例示することができる。
【００１５】
本構成では、網部材が換気具本体に着脱可能であるため、網部材を換気具本体から取り外し、洗浄してから、再度換気具本体に取り付けることができる。或いは、汚れたり損傷したりした網部材のみを、新品に取り換えることができる。
【発明の効果】
【００１６】
以上のように、本発明の効果として、外壁と内壁との間に屋外と連通した通気空間が形成された壁構造の場合に、室内と通気空間とを内壁貫通孔を介して通気させると共に、通気空間から内壁貫通孔の内部まで異物が進入するおそれが低減された換気構造、及び、該換気構造に使用される換気具を、提供することができる。
【図面の簡単な説明】
【００１７】
【図１】本発明の第一実施形態の換気具の斜視図である。
【図２】図１の換気具の分解斜視図である。
【図３】図１の換気具の背面図である。
【図４】図１の換気具の内壁への固定を例示する背面図である。
【図５】図１の換気具を使用した換気構造を示す断面図である。
【図６】本発明の第二実施形態の換気具の斜視図である。
【図７】図６の換気具を使用した換気構造を示す断面図である。
【図８】変形例の換気具及び該換気具を使用した換気構造を示す断面図である。
【図９】従来の換気構造を示す断面図である。
【図１０】外壁と内壁との間に屋外と連通した通気空間が形成された壁構造の説明図である。
【図１１】図１０の壁構造における従来の換気構造を示す断面図である。
【図１２】図１０の壁構造における従来の換気構造の他の例を示す断面図である。
【発明を実施するための形態】
【００１８】
以下、本発明の第一実施形態である換気具１、及び、換気具１を使用した換気構造について、図１乃至図５を用いて説明する。
【００１９】
換気具１は、外壁５１と内壁５２との間に屋外と連通した通気空間５３が形成され、室内と通気空間５３とを連通させる内壁貫通孔６２が内壁５２に設けられている換気構造に使用される換気具１であり、内壁貫通孔６２に挿入される筒部１１、及び、筒部１１の一端の周縁から外側に向かって平板状に延出しており、内壁５２の通気空間５３側の表面に当接させるフランジ部１２を備える換気具本体１０と、フランジ部１２側で筒部１１の開口を網体２１で被覆している網部材２０とを具備している。また、網部材２０は、換気具本体１０に形成された係止部と係合する被係止部を有し、換気具本体１０に対して着脱可能である。
【００２０】
より詳細に説明すると、換気具本体１０において、筒部１１は円筒形であり、フランジ部１２の外形は四角形である。フランジ部１２には、ビスや釘などを挿通可能な小孔部１３が複数穿設されている。
【００２１】
網部材２０は、円板状の網体２１と、網体２１の直径方向に延びると共に網体２１に対して直角に立ち上がった把持部２３と、網体２１の外周から直角に、把持部２３の突出方向と同一の方向に立ち上がった周壁部２２とを備えている。また、周壁部２２の外周面には、周方向に延びる突条２６が、同一線上に複数形成されている。これらの突条２６それぞれの両端面は、何れも他方の端面に向かって傾斜している。これらの突条２６が、本発明における被係止部に相当する。
【００２２】
一方、換気具本体１０には、筒部１１のフランジ部１２側の開口の周縁から、内側に向かってフランジ部１２と平行に延出した環状部１５が形成されている。この環状部１５の内径は、網部材２０の周壁部２２の外径とほぼ等しく設定されている。そして、環状部１５からは、フランジ部１２側とは反対側の開口に向かって突出した突出部１６が複数形成されている。この突出部１６の周方向の長さは、網部材２０において隣接している突条２６と突条２６との間の長さにほぼ等しく、突出部１６の両端面は突条２６の端面の傾斜角度と同一角度で傾斜している。これにより、突出部１６は、隣接している突条２６と突条２６との間を、相対的に通過可能である。それぞれの突出部１６の基端（環状部１５側の端部）には、周方向の一方に開口し他方が閉塞されたスリット１７が、周方向に延びるように円弧状に形成されている。これらのスリット１７及び突出部１６が、本発明における係止部に相当する。
【００２３】
次に、上記構成の換気具１を内壁５２に固定する方法について、主に図５を用いて説明する。内壁５２は、室内側壁材５２ａの外側に断熱材５２ｂを配し透湿防水シート５２ｃで被覆した積層構造であり、内周が円形の内壁貫通孔６２が設けられている。内壁貫通孔６２には、円筒形のダクト６５が嵌挿されている。換気具１の筒部１１の外径は、このダクト６５の内径にほぼ等しく設定されている。
【００２４】
換気具１を内壁５２に固定する際には、外壁５１が構築される前に、筒部１１をダクト６５に屋外側から挿入する。これにより、平板状のフランジ部１２が、内壁５２の屋外側の表面に当接するため、このフランジ部１２を内壁５２の外表面に固定することによって、換気具本体１０を内壁５２に支持させることができる。例えば、図４に示すように、フランジ部１２の周縁に沿って屋外側からシーリングテープ７０を貼り廻らすことによって、フランジ部１２を内壁５２に固定することができる。この場合、フランジ部の外形が円形など湾曲した形状である場合は、シーリングテープに襞を寄せるようにして貼る必要があるが、本実施形態ではフランジ部１２の外形が四角形であり周辺が直線であるため、シーリングテープ７０を貼る作業が容易である。或いは、フランジ部１２の筒部１１側の面に貼着した両面テープによって、フランジ部１２を内壁５２に接着することができる。また或いは、フランジ部１２に設けられた小孔部１３に通したビスや釘によって、フランジ部１２を内壁５２に固定することができる。また或いは、フランジ部１２の筒部１１側の面に、接着剤あるいはコーキング剤を塗布し、フランジ部１２を内壁５２に接着することができる。なお、上記に記載した固定方法の二以上を併用することもできる。
【００２５】
換気具本体１０に網部材２０を取り付ける際は、筒部１１が突出している側、つまり室内側から、網部材２０を換気具本体１０に向けて接近させる。このとき、換気具本体１０の環状部１５から突出している突出部１６が、網部材２０の突条２６と突条２６との間を通過するように、網部材２０を換気具本体１０に接近させる。上述したように、網部材２０の周壁部２２の外径は、換気具本体１０の環状部１５の内径とほぼ等しいため、周壁部２２から突出している突条２６は、環状部１５の内周縁に沿って環状部１５と重畳する。この状態で、網部材２０を回転させると、周方向の一方に開口したスリット１７に突条２６が進入し、突出部１６との間で係止される。突条２６は、スリット１７の閉端に当接するまで深く進入させれば、係止状態が安定するが、図３では、突条２６がスリット１７の途中まで進入した状態を図示している。なお、網部材２０は、網体２１から直角に立ち上がった把持部２３を有しており、この把持部２３を手指で掴むことにより、上記の操作がし易いものとなっている。ここでは、換気具本体１０を内壁５２に固定してから、網部材２０を換気具本体１０に取り付ける場合を例示したが、予め網部材２０を換気具本体１０に取り付けてから、換気具本体１０を内壁５２に固定しても良い。
【００２６】
上記の操作により、第一実施形態の換気具１が内壁５２に固定され、第一実施形態の換気構造が構築される。すなわち、外壁５１と内壁５２との間に屋外と連通した通気空間５３が形成されており、内壁５２に、室内と通気空間５３とを連通させる内壁貫通孔６２が設けられている壁構造において、内壁貫通孔６２にはダクト６５が嵌挿されており、ダクト６５に挿入された筒部１１、及び、筒部１１の一端の周縁から外側に向かって平板状に延出しており、内壁５２の通気空間５３側の表面に当接しているフランジ部１２を備える換気具本体１０と、フランジ部１２側で筒部１１の開口を網体２１で被覆している網部材２０と、を備える換気具１が使用されている換気構造である。
【００２７】
なお、内壁貫通孔６２及びダクト６５の室内側の開口は、図５に例示するように換気ファンなどの換気装置１１２を接続することができる。
【００２８】
上記の換気構造を構築した後、網部材２０を取り外す際は、室内側から網部材２０の把持部２３を把持し、取り付け時とは反対側に網部材２０を回転させる。これにより、突条２６がスリット１７から抜け出して係合状態が解除されるため、網部材２０を手前に引き抜くように、換気具本体１０から取り外すことができる。
【００２９】
以上のように、第一実施形態の換気具１及び換気具１を使用した換気構造によれば、内壁貫通孔６２及びダクト６５の通気空間５３側の開口が網体２１によって覆われているため、屋外から通気空間５３に異物が入り込んでも、その異物が内壁貫通孔６２及びダクト６５の内部まで入り込むおそれが低減されている。
【００３０】
また、網部材２０が換気具本体１０に着脱可能であるため、網部材２０を換気具本体１０から取り外し、洗浄してから、再度換気具本体１０に取り付けることができる。或いは、汚れたり損傷したりした網部材２０のみを、新品に取り換えることができる。特に、本実施形態では、網部材２０を一方向に回転させるのみの容易な操作で、網部材２０を換気具本体１０から取り外すことができ、他方向に回転させるのみの容易な操作で、網部材２０を換気具本体１０に取り付けることができる。また、本実施形態では、網部材２０を室内側から着脱できるため、外壁５１が構築された後でも、問題なく換気具本体１０から網部材２０を取り外し、また、取り付けることができる。
【００３１】
次に、第二実施形態の換気具２、及び、換気具２を使用した換気構造について、図６及び図７を用いて説明する。第二実施形態の換気具２が第一実施形態の換気具１と相違する点は、筒部１１ｂの突出長さ（筒部１１ｂにおけるフランジ部１２側の開口から、他方の開口までの長さ）が、換気具１の筒部１１より長い点である。そして、図６に示すように、筒部１１ｂの外周面には、周方向に一周する線状の凹部１９が複数設けられている。なお、第一実施形態と同様の構成については、同一の符号を付し、詳細な説明は省略する。
【００３２】
換気具２は、線状の凹部１９を複数備えているため、内壁貫通孔６２の長さ（内壁５２の厚さ）に合わせて、複数の凹部１９のうち何れかをガイドとして、筒部１１を切断することができる。
【００３３】
このように、筒部１１の突出長さを内壁貫通孔６２の長さと一致させることにより、図７に示すように、換気具２の筒部１１ｂがダクトを兼ねている第二実施形態の換気構造とすることができる。すなわち、外壁５１と内壁５２との間に屋外と連通した通気空間５３が形成されており、内壁５２に、室内と通気空間５３とを連通させる内壁貫通孔６２が設けられている壁構造において、内壁貫通孔６２の全長にわたり挿入された筒部１１ｂ、及び、筒部１１ｂの一端の周縁から外側に向かって平板状に延出しており、内壁５２の通気空間５３側の表面に当接したフランジ部１２を備える換気具本体１０と、フランジ部１２側で筒部１１の開口を網体２１で被覆している網部材２０と、を備える換気具２が使用されている換気構造である。
【００３４】
第二実施形態の換気構造によれば、換気具２の筒部１１ｂがダクトを兼ねているため、少ない部品点数で、簡易に換気構造を構築することができる。
【００３５】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３６】
例えば、図８に示すように、フランジ部１２の内周縁から筒部１１ｂとは反対側に短い筒状に突出した短筒部３１を設けることができる。これにより、仮に通気空間５３内で結露が生じ、水滴が内壁５２の屋外側の表面を伝わり落ちても、短筒部３１が障壁となり、換気具本体１０と網部材２０との間の空隙を介して内壁貫通孔６２の内部側まで、水滴が滲入するおそれが低減される。加えて、網部材２０の網体２１において、把持部２３が設けられた面とは反対側の面からルーバー２８を突出させても良い。このような網部材２０を、ルーバー２８が下方に向けて傾斜するように換気具１０本体に取り付ければ、仮に水滴が短筒部３１を超えて伝わり落ちても、ルーバー２８に案内されて通気空間５３に水滴が排出されるため、網体２１の網目を介して内壁貫通孔６２の内部側まで、水滴が滲入するおそれが低減される。なお、図８では、第二実施形態の換気具２に短筒部３１やルーバー２８を設ける場合を例示したが、第一実施形態の換気具１にも同様に短筒部３１やルーバー２８を設けることができる。
【００３７】
また、上記の実施形態では、換気具１，２の筒部１１，１１ｂが円筒状である場合を例示したが、これに限定されるものではなく、内壁貫通孔の形状に合わせて、楕円筒状や角筒状とすることができる。
【００３８】
また、内壁貫通孔６２の室内側の開口に、換気装置１１２を接続する場合を例示したが、これに限定されず、本発明の換気具を、内壁貫通孔６２の室内側の開口と、通気空間５３側の開口の両方に取り付けることもできる。
【符号の説明】
【００３９】
１，２  換気具
１０  換気具本体
１１，１１ｂ  筒部
１２  フランジ部
１６  突出部（係止部）
１７  スリット（係止部）
２０  網部材
２１  網体
２６  突条（被係止部）
５１  外壁
５２  内壁
５３  通気空間
６２  内壁貫通孔
【先行技術文献】
【特許文献】
【００４０】
【特許文献１】特開平７−２０７９０２号公報
【図１】
2015021651.tif 000003
【図２】
2015021651.tif 000004
【図３】
2015021651.tif 000005
【図４】
2015021651.tif 000006
【図５】
2015021651.tif 000007
【図６】
2015021651.tif 000008
【図７】
2015021651.tif 000009
【図８】
2015021651.tif 000010
【図９】
2015021651.tif 000011
【図１０】
2015021651.tif 000012
【図１１】
2015021651.tif 000013
【図１２】
2015021651.tif 000014